(57)【要約】【課題】大型スクリーン装置への映像ソースの表示を自動化し、プラントの異常により自動的に大型スクリーン装置に故障内容を表示し、複数のオペレータが情報を共有することにより、プラントの円滑な運用を図ることを可能とする。【解決手段】複数のスクリーンから構成され複数の映像を表示可能な大型スクリーン装置１０１に映像を表示させるスクリーン制御装置１１０であり、複数の映像を表示させる場合の表示パターンを入力すると共に記憶し、オペレータのワンアクションにより表示パターンの一を選択したとき当該表示パターンに係る映像を大型スクリーン装置１０１に表示させる。【選択図】　　図２
2004021300.tif 000002
【特許請求の範囲】
【請求項１】
複数のスクリーンから構成され複数の映像を表示可能な大型スクリーン装置に映像を表示させるスクリーン制御装置において、
複数の映像を表示させる場合の表示パターンを入力すると共に記憶する手段と、オペレータのワンアクションにより前記表示パターンの一を選択したとき当該表示パターンに係る映像を前記大型スクリーン装置に表示させる手段とを具備することを特徴とするスクリーン制御装置。
【請求項２】
プラントの状態を入力する手段と、当該プラントの状態に応じて前記大型スクリーン装置に表示させる映像の選択、表示、許可及び禁止のうち少なくとも１つを指示する手段とを具備することを特徴とする請求項１記載のスクリーン制御装置。
【請求項３】
入力した映像情報を時系列的に保存する手段と、現在の映像と過去に保存した映像情報とを前記大型スクリーン装置に同時に表示する手段とを具備することを特徴とする請求項１記載のスクリーン制御装置。
【請求項４】
過去の映像の再表示に際し絶対日付時刻の指定を行う手段と、過去の映像の再表示に際し再表示速度を指定する手段とを具備することを特徴とする請求項３記載のスクリーン制御装置。
【請求項５】
現在の映像と過去の映像とから映像の差分を検出する手段と、この手段により検出した差分表示部分を前記大型スクリーン装置に表示し且つその差分情報を保存する手段とを具備することを特徴とする請求項３記載のスクリーン制御装置。
【請求項６】
プラントの状態を入力する手段と、入力した映像情報及び前記プラント状態の情報について時系列的に保存する手段と、この手段に時系列的に保存された前記映像情報及び前記プラント情報に基づき前記プラントのイベントが発生した時の映像情報をスクリーンに再表示表示させる手段とを具備する特徴とする請求項３記載のスクリーン制御装置。
【請求項７】
オペレータの所望により映像の拡大を行う手段を具備することを特徴とする請求項１乃至６のいずれか一項記載のスクリーン制御装置。
【請求項８】
映像の拡大は、文字情報を認識した上で映像を拡大する又は拡大エリアを指定して拡大するものであることを特徴とする請求項７記載のスクリーン制御装置。
【発明の詳細な説明】
【０００１】
【発明の属する技術分野】
本発明は、上下水道監視制御システム、ビル監視制御システム、道路監視制御装置等のプラントの監視制御に用いて好適な大型スクリーン装置を制御するスクリーン制御装置に関する。
【０００２】
【従来の技術】
この種のスクリーン制御装置は、例えば上下水道監視制御システム、ビル監視制御システム、道路監視制御装置等に用いられる大型スクリーン装置に映像情報を表示・制御する装置であり、複数の映像ソースをオペレータの選択、切り替え操作に従って大型スクリーン装置に表示するものである。
【０００３】
大型スクリーン装置は、監視制御システムに用いられるＣＲＴ監視装置よりも多くの映像ソースを大画面で表示させることが可能であり、一般に監視制御システムに適用される例では、オペレータが大型スクリーン装置に表示させる映像ソースを必要時に適宜、切り替えて表示をしている。
【０００４】
また、最近の大型スクリーン装置では、複数のスクリーンを繋ぎ合わせた構成のスクリーンとなっており、スクリーン制御装置によって、その複数のスクリーン個別に別々の映像ソースを表示させることや、繋ぎ合わせた複数のスクリーン全体を利用してスクリーン一杯に映像ソースを表示させること、また、スクリーン全体を利用してスクリーン一杯に映像ソースを表示しながら、特定のスクリーンだけに別の映像を表示することも可能となっている。
【０００５】
例えば、上水道プラントを例にとると、大型スクリーン装置全体にプラント全体の概要を監視できる監視制御装置側にて作成したプロセスフロー画面と、ＩＴＶで監視している取水口の映像と、監視制御装置側にて作成しているトレンドグラフ画面を表示させる事も可能となっている。
【０００６】
このように大型スクリーン装置への表示は、スクリーン制御装置により、高機能になっておりオペレータの利用方法によっては、高度にプラント監視を行える装置とすることが可能である。
【０００７】
また、大型スクリーン装置のメリットは、表示される映像ソースにより、複数のオペレータが同時にプラント情報を共有することが可能となり、プラントの円滑な運用に役立てることが可能となる。
【０００８】
また、警報情報等を分割した画面の一つに表示し続けるようにして非常事態に対して迅速に対処することを可能とし、また分割画面のうち特定の一画面を拡大表示するようにし、また複数ページ分のプラント情報を即座に一括表示することが可能なプラント情報監視装置がある（特開平０９−３３０１１６号公報）。
【０００９】
さらに、複数のＩＴＶカメラやビデオレコーダからの画像をスイッチャにより時分割で取り込んでリアルタイムで複数の有利情報を多方面より一度に表示画面から入手することで多方面からプラントを監視、操作するようにし、的確な判断と迅速な操作とを可能とするプラント監視・操作用表示装置がある（特開平０９−２９２９６２号公報）。
【００１０】
またさらに、プラント停止パターンを予め作成し、登録可能とすると共に、運転項目パターンを漏れなく把握し、効率的に運転スケジュールに運転項目を適用でき、しかも画面を拡大して編集可能とし、また細かいグラフも描画できるようにした運転情報管理装置がある（特開２０００−２２２０２９）。
【００１１】
【発明が解決しようとする課題】
しかしながら、上述した従来例は、次のような解決すべき課題がある。すなわち、上記の大型スクリーン装置は、前述のように複数の映像ソースを表示することが可能で、高度な利用方法も実現可能なものであるが、映像ソースの切り替えについては、オペレータが選択することになり、充分に大型スクリーン装置を使いこなすことが困難な場合が多かった。このために従来はある程度決まった映像を固定的に表示しており、大型スクリーン装置へ表示される情報をダイナミックに切り替えて表示している例は少なかった。
【００１２】
また、大型スクリーン装置へ表示させる映像ソースをダイナミックに切り替えて表示する場合でも、オペレータが大型スクリーン装置に表示させたい情報を何らかの入力装置にてスクリーン制御装置に指示して表示する必要があるため、オペレータにとって複数の映像ソースを切り替えて表示させることは面倒である。このため、映像ソースの切替表示は効果的に行われない状況にあった。
【００１３】
さらに複数の映像ソースを大型スクリーン装置に組み合わせて必要な映像ソースを表示させることはオペレータにとっては、困難な作業であった。その理由は、オペレータにとってはプラント監視が主であり、大型スクリーン装置の映像ソースの表示自体は従作業であり、かつ一般的には監視制御システム等のＣＲＴ表示装置等が完備されているケースが多く、大型スクリーン装置への表示については、プラントを監視するために必須では無いためである。
【００１４】
本発明の目的は、大型スクリーン装置への映像ソースの表示を自動化可能とし、プラントの異常により自動的に大型スクリーン装置に故障内容を表示し、複数のオペレータが情報を共有することにより、プラントの円滑な運用を図ることが可能なスクリーン制御装置を提供することにある。
【００１５】
【課題を解決するための手段】
上記目的を達成するために本発明は、複数のスクリーンから構成され複数の映像を表示可能な大型スクリーン装置に映像を表示させるスクリーン制御装置において、
複数の映像を表示させる場合の表示パターンを入力すると共に記憶する手段と、オペレータのワンアクションにより前記表示パターンの一を選択したとき当該表示パターンに係る映像を前記大型スクリーン装置に表示させる手段とを具備することを特徴とする。
【００１６】
このように本発明においては、大型スクリーン装置に表示させる映像ソースをパターン化し、オペレータのワンアクションの操作で複数の映像ソースから、オペレータに必要な映像ソースを選択して表示することが可能となる。
【００１７】
特に複数の映像ソースを大型スクリーン装置に表示する場合には、オペレータに映像ソースの選択、および各々の映像ソースの表示位置、サイズ等の指定が必要であったがワンアクションの操作にてこれら表示を行うことが可能となる。
【００１８】
【発明の実施の形態】
以下、本発明に係るスクリーン制御装置の一実施形態について、図を参照しながら説明する。
【００１９】
図１は、本実施形態のスクリーン制御装置を示す構成図である。本実施形態において、監視制御対象であるプラント１０５と監視制御装置１０６と本実施形態のスクリーン制御装置１１０との間におけるデータ授受は、電力線ネットワーク（Ｐｏｗｅｒ　Ｌｉｎｅ　Ｃａｒｒｉｅｒ）を用いている。
【００２０】
図１において、スクリーン制御装置１１０は、監視制御装置１０６のＣＲＴの映像入力やプラント１０５に設置されたＩＴＶカメラの映像等の複数の映像ソース１０２−１、１０２−２…１０２−ｎを入力する映像ソース１０２と、オペレータ１０３の操作を受け付けて大型スクリーン装置１０１に表示される映像を切り替える等の操作を行う入力装置１０４と、プラント１０５を監視制御する監視制御装置１０６とが接続され、大型スクリーン装置１０１を制御するものとなっている。なお、符号４０６及び４０６はデータ授受を電力線４０８を用いて行うための電力線ネットワークに係る伝送器であり、プラント１０５からのデータは監視制御装置１０６に収集されると共に監視制御装置１０６とスクリーン制御装置１１０との間でデータ授受も行われる。
【００２１】
スクリーン制御装置１１０は、ＣＰＵ４０４、補助記憶装置４０５及び映像データ入力部１１１からなり、図２に示すように、監視制御装置１０６のＣＲＴの映像入力やプラント１０５に設置されたＩＴＶカメラの映像等の複数の映像ソース１０２−１、１０２−２…１０２−ｎを入力する映像ソース１０２と、オペレータ１０３の操作を受け付けて大型スクリーン装置１０１に表示される映像を切り替える等の操作を行うキーボード１０４Ａやマウス１０４Ｂを含む入力装置１０４と、プラント１０５を監視制御する監視制御装置１０６とが接続され、大型スクリーン装置１０１を制御するものとなっている。
【００２２】
またスクリーン制御装置１１０は、ＣＰＵ４０４及び補助記憶装置４０５を主要素として構成されており、映像データ一時バッファ１１２と、映像データ保存部１１３と、映像データ時系列ファイル１１４と、プラント状態入力部１１５と、プラント状態一時バッファ１１６と、プラント状態保存部１１７と、プラント状態時系列ファイル１１８と、映像表示パターンファイル１１９と、映像データ制御部１２０と、プラント異常時パターンファイル１２１と、オペレータ操作入力部１２２と、スクリーン制御部１２３とからなる。
【００２３】
ここに映像データ入力部１１１は、映像ソース１０２の映像情報を入力する。なお、映像情報には、ＲＧＢ、ＮＴＳＣ、ＭＰＥＧ方式といった、いろいろな映像ソースがあるが、本実施形態では、映像ソースの種類・形態については限定しない。
【００２４】
映像ソース１０２にて入力された映像情報は、映像データ入力ブロック１１１によりディジタル処理化され、映像データバッファ１１２に一時蓄えられる。この場合、映像データバッファ１１２に蓄えられる映像データは、入力毎に定期的に更新される動画情報である。映像データバッファ１１２に蓄えられた映像データについては、映像データ保存部１１３により定周期にて映像データファイル１１４に時系列に保存される。つまり、映像データファイル１１４には、映像ソースと時刻情報とが保存されることになる。
【００２５】
また、現在の映像データは、映像データ制御部１２０により処理され、現在の大型スクリーン装置１０１に表示する必要な映像であれば、スクリーン表示部１２３により表示される。
【００２６】
本実施形態に係るスクリーン制御装置は、上述の構成の下で、映像パターン表示機能、自動表示機能、再生表示機能、映像データの差分検索機能、プラントのイベント発生時画像表示機能及び映像の拡大表示機能を有するものであり、以下列挙して詳述する。
【００２７】
映像パターン表示機能の構成
この映像パターン表示機能は、映像表示パターンファイル１１９の作用により動作する。
【００２８】
先ず、従来例を説明すると、オペレータ１０３は、入力装置１０４を操作して表示させる情報を切り替えて、オペレータ入力部１２２により表示される映像を、映像データ制御部１２０に通知して、大型スクリーン装置１０１に表示を行う。このときには、大型スクリーン装置１０１の各スクリーンにどのような映像を表示するかを、オペレータ１０３が入力装置１０４より選択し、表示することになる。
【００２９】
例えば、図３に示す８面構成の大型スクリーン装置１０１の全体スクリーン２００の全体図表示エリア２１１に、全体図として映像ソース１０２−１を表示させ、個別のスクリーン２０１の第１個別表示領域２１２に映像ソース１０２−２を表示させ、２０４スクリーンの第２個別指示領域２１３に映像ソース１０２−３を表示させ、２０８スクリーンの第３個別表示領域２１４に映像ソース１０２−４を表示させるといった表示形態をとる場合には、入力装置１０４にて、個々のスクリーン表示ソースを選択する必要があった。すなわち、図４に、入力装置１０４における入力例を示すが、４つの映像ソースを大型スクリーン装置１０１に表示させるために４種類の設定を行う必要があった。
【００３０】
図４は、スクリーン表示切り替え画面３０１の例であり、スクリーン全体画面３０２は、例えばスピンボタン等の切り替え機能３０３により表示させる映像ソースを選択することになる。
【００３１】
各個別スクリーン３０４…も同様に映像ソースを選択して表示させることが可能となる。この図４の例では、全体スクリーンの表示と個別スクリーンの表示の組み合わせ例であるが、例えば個別スクリーンを２個組み合わせたスクリーン表示面、個別スクリーンを４個組み合わせたスクリーン表示面を考慮することも可能である。
【００３２】
この場合、オペレータ１０３は、オペレータ操作入力部１２２を操作して表示パターンを、映像表示パターンファイル１１９に記憶させる。ここに表示パターンは、大型スクリーン装置１０１に表示させる複数の映像ソースの表示パターンである。この操作により、オペレータ１０３は、次回の表示からはパターンを選択するというワンアクションで、当該選択した表示パターンに従って複数の映像ソースを大型スクリーン装置１０１の各個別スクリーンに表示することが可能となる。
【００３３】
パターン登録の入力画面例を、図４の符号３０１、３１１にて示す。
【００３４】
このように映像パターン表示機能においては、上述のようにオペレータ１０３が事前に決めた表示パターンを映像表示パターンファイル１１９に登録することにより、スクリーン制御装置１１０におれる表示パターンを記憶し、大型スクリーン装置１０１に表示する際には、パターン表示であることをオペレータ操作入力部１２２で判断し、映像データ制御部１２０にてパターン表示の映像ソースを選定し、スクリーン表示部１２３にて大型スクリーン装置１０１に表示することが可能となる。
【００３５】
また、この表示パターンを数種類について保存することにより、いろいろな場面での大型スクリーン装置１０１の映像表示やオペレータ毎に映像の表示が可能となる。なお、図４のパターン例３１２では、水処理監視用に作成されたパターンであり、表示ボタン３１３を操作することにより、オペレータ１０３がワンアクションで大型スクリーン装置１０１への複数映像ソースを表示することが可能となる。図５にパターン表示された例を示す。
【００３６】
自動表示機能の構成
この自動表示機能は、プラント状態入力部１１５によりプラントの現在情報を入力し、例えばプラントの状態により、予め決められた映像を表示させるものである。すなわち、プラントからの情報入力は、監視制御装置１０６から入力する。このプラントの入力情報は、プラント状態一時バッファ１１６に保存され、プラント状態保存部１１７において、プラント１０５の状態変化を検出し、プラント１０５にプラント異常時パターンファイル１２１に登録されている状態変化が発生した場合には、プラント異常時パターンファイル１２１にて指示される映像パターンにより、映像データ制御部１２０が判断し、スクリーン表示部１２３を利用して大型スクリーン装置１０１に表示を行う。
【００３７】
また、プラント状態保存部１１７は、プラント状態系列ファイル１１９にもプラント１０５の状態を定周期にて保存する。なお、定周期での保存は、所定周期例えば１秒周期保存のような方法と、プラントの状態変化が発生した場合に保存する方法等を採用することができる。
【００３８】
例えば、上水道プラントのポンプ設備の異常情報を入力した場合には、ポンプ設備のプロセスフロー画面と、ポンプ設備に設置されたＩＴＶ画像の情報、ポンプ設備に関連するトレンドグラフ画面、アラームメッセージ画面等を自動表示させることも可能である。図５にその表示例を示す。Ｎｏ．１ポンプの過電流が発生し、その状態を入力した場合に図５のスクリーン表示例が自動表示された例を示す。プロセスフロー画面５０１と、ＩＴＶ画面５０２、トレンドグラフ画面５０３、アラームメッセージ一覧画面５０４の例を示す。プロセスフロー画面５０１上に異常情報として過電流発生が表示されている。
【００３９】
本実施形態の自動表示機能は、禁止状態、許可状態に設定することも可能である。また、禁止状態の場合でも、例えば異常が発生したことを通知することも可能である。許可／禁止についてはオペレータがオペレータ操作入力部１２２において設定することが可能である。
【００４０】
再生表示機能の構成
この再生表示機能は、映像データ保存部１１３を利用し、過去の映像ソースを再生させるものである。すなわち、例えば上水道プラントなどは、昨日と本日の差を有効な監視指標として利用するケースが多い。また、上水道プラントは、曜日によって需要も変化することから、例えば先週の同一曜日等を監視指標として利用するケースも多い。一般的にはオペレータの経験、勘、過去の実績等から例えば昨日との差、先週との差を認識して監視を行い、また監視制御装置に保存してある過去のトレンドデータ、メッセージ履歴データ、帳票データを参考にしながら監視を行っていた。
【００４１】
そこで、本実施形態のスクリーン制御装置１１０では映像データ入力部１１１にて入力される映像ソースを、映像データ保存部１１３を利用して映像ソースをスクリーン制御装置の補助記憶装置４０５等に保存することにより、過去の映像ソースを再生させることが可能となる。
【００４２】
また、映像ソースは大型スクリーン装置１０１に表示されていない映像ソースであっても保存されるので、監視時に見逃した映像ソースについても再生を行うことが可能となる。
【００４３】
この場合、映像ソースの再生としては、図６に、現在のプラントの状態６０１と、過去のプラントの状態６１１とが示され、また現在入力されている映像ソース６０１が表示され、また映像データ時系列ファイル１１４に保存された映像ソース６１１が表示される例が示されている。表示選択６１１は、例えば現在時刻からの相対時刻、例えば１日前、１２時間前といった指定と、絶対時刻、例えば何日、何時何分の指定が可能である。また、過去の映像ソースの再生については、ビデオデッキのように早送り、巻き戻し、コマ送り、停止等の操作が可能である。
【００４４】
映像データの差分検索機能の構成
本実施形態の映像データの差分検索機能は、上記の再生表示機能において、過去の映像ソースと現在の映像ソースとを表示させてオペレータにプラントの状態を監視させると同時に、より判りやすく差分を表示させるための機能である。
【００４５】
図６を参照して本実施形態の差分検索機能を説明する。この差分検索機能は、プラント監視独自の差分検出機能である。図６の符号６０３及び６１３は、○×配水池の水位を示すが、画像処理技術では、画像自体の差を検出するので、１文字でも差があると差分を検知するが、本実施形態では、文字認識技術を利用し、文字認識できる部分については文字認識を行い、例えば○×配水池水位の不感帯を設定し、その不感帯内であれば、差分無しと判断し、不感帯以上の差があった場合には、差分がありと判断し、符号６０３に示すように、例えば数値を枠で囲む等の表示を行う。
【００４６】
図７にブロック図を示す。画像入力手段７０２と、差分検出位置登録ファイル７０１により、文字認識手段７０３において文字、数値を認識する。文字、数値として認識された値を差分検出手段７０４において差分を求め、差分判定条件ファイル７０６から差分判定手段７０５が差分を判定し、差分有りと認識できた場合には、差分表示手段７０７において、差分があったことを表示させる。表示は、映像に上書きされて表示される。また、数値情報だけでなくシンボルとして機器の動作等を示す部分についても差分検出が可能である。
【００４７】
プラントのイベント発生時画像表示機能の構成
プラントの異常解析時には、そのイベント（事象）が発生したときの、プラントの状態を確認することが最も重要な解析手段である。特にそのイベント前後の状態を確認することが必要である。本機能は、かかる要請に応ずるものであり、プラントのイベント（事象）が発生した時刻情報をキーとして、そのイベントの映像を再表示させる機能である。
【００４８】
従来は、例えば監視制御装置にて印字しているメッセージ情報の時刻をオペレータが確認し、その時刻情報を元に映像を選定し、再生させていた。
【００４９】
これに対し、本実施形態のイベント発生時画像表示機能では、プラント状態時系列ファイル１１８から、イベントの発生を検索し、そのイベント発生時刻をキーに映像を再生させることが可能である。また、映像についてもオペレータが選定するのでは無く、上記の自動表示機能により選定された映像を表示することが可能である。
【００５０】
映像の拡大表示機能の構成
本実施形態の映像の拡大表示機能は、大型スクリーン装置１０１に表示する映像情報の一部分を拡大する機能である。一般的に大型スクリーン装置１０１に表示する映像については、文字情報が読みにくいケースが多い。特に大型スクリーン装置１０１に表示させることを意識させて作成した画面であれば、見やすいが一般のＣＲＴを対象に作成した画面については、大型スクリーン装置１０１への表示は見えにくい。
【００５１】
そこで本実施形態の拡大表示機能は、文字情報を検索して文字を自動的に拡大する機能と、指定された映像部分を拡大する機能である。図８の符号８０２は文字拡大例を示す、符号８０４は指定された映像部分を拡大した表示例を示す。
【００５２】
図９に機能ブロック図を示す。拡大位置登録ファイル９０１は、映像のどの部分を拡大するかを予め登録しておき、その登録部分を指定したファイルである。画像入力手段９０２により入力された画像と拡大位置登録ファイル９０１により、映像拡大手段９０３により指定された部分を拡大する。また、文字情報認識手段９０４は、映像情報から文字情報を認識し拡大位置を特定する。拡大位置が特定できたらその部分を拡大し、拡大表示合成手段９０５において元の映像と拡大した映像を合成し、画像表示手段９０６にて大型スクリーン装置１０１への表示を行う。
【００５３】
次に本実施形態における各機能の作用について図を参照して説明する。
【００５４】
映像パターン表示機能の作用
本実施形態の映像パターン表示機能、すなわち、映像パターンをワンアクションで表示するためのフローチャートを図１０に示す。図１０は、図２の映像データ制御部１２０の処理フローとなる。まず、図１０のステップＡ０１においてオペレータにより選択されたパターンＮｏを入力し、ステップＡ０２において映像表示パターンファイル１１９を検索し、一致したパターンＮｏを検索する。検索された場合、ステップＡ０３においてそのパターンに登録された映像情報を取り出す。登録された映像情報から、映像データバッファ１１２から必要な映像ソースを取り出す。映像ソースの取り出しが完了したら、ステップＡ０４において映像のスクリーン位置を決定し、映像の表示を開始する。ステップＡ０５にて映像の表示完了をチェックし、映像情報の表示が完了したら処理を終了する。表示が未完了であれば、ステップＡ０６にて映像の表示を行う。
【００５５】
自動表示機能の作用
本実施形態の自動表示機能のフローチャートを図１１に示す。図１１は、図２の１２０映像データ制御機能の自動表示に関する処理フロー図となる。まず、図１１のステップＢ０１において、プラントの現在状態を入力する。例えばポンプの運転、停止状態、ポンプ電流値、配水池水位等がプラントの現在値である。１／０を利用して表現するディジタル信号と、数値を利用して表現するアナログ信号に大別される。
【００５６】
ステップＢ０２において、これらのプラント状態について前回値との比較を行い、前回と今回の差分を検出する。例えば、ディジタル信号で定義すれば、ポンプの運転が停止した場合、正常から故障になった場合には、前回の状態とに差があると判断する。数値の場合については、前回と今回値の差分を計算し、その差分が不感帯以上の差があった場合に、前回の状態とに差があると判断する。
【００５７】
ステップＢ０３にて差分の判定を行い、差分があった場合には、ステップＢ０４において、差分のあったプラントの状態において、その信号が自動表示対象となっているかを検索する。例えばポンプ故障が自動表示対象となっていれば、ポンプが正常状態から異常状態に変化した場合が、自動表示のタイミング信号となる。
【００５８】
また、ステップＢ０５において自動表示項目対象と判断されれば、ステップＢ０６により自動表示するパターンファイルを取り出し、映像情報を決定する。ステップＢ０６以降は、ステップＡ０４以降と同様の処理のため説明は省略する。
【００５９】
ただし、本機能は、常時定期的にプラントの状態を監視し、自動表示対象を検索する。
【００６０】
再生表示機能の作用
本実施形態の再生表示機能のフローチャートを図１２に示す。図１２は、図２の１２０映像データ制御機能の処理フローの一部である。まず、ステップＣ０１において、再生要求のパラメータを取り出す。再生要求については、オペレータからの指示により表示するケースと上述の様に、パターン登録されて表示するケースがある。再生要求のパラメータについては、ステップＣ０２に示す。ステップＣ０３において再生表示が完了したかを確認し、再生表示が完了していれば、再生の終了となる。再生表示が未完の場合であれば、ステップＢ０４により該当の時刻データベースより映像ソースを取り出す。ステップＣ０４にて取り出しが未完、すなわち既に映像データ時系列ファイル１１４上に存在しない場合にも再生終了とする。再生可能な映像が存在する場合には、ステップＣ０６、ステップＣ０７にて映像の表示を行う。なお、指定された再生速度、周期により、映像の再生は行われる。
【００６１】
映像データ差分検出機能の作用
本実施形態の映像データ差分検出機能は、上記の再生表示機能にて再生した映像と現在の映像を画像処理し、差分を検出する機能であり、作用については、省略する。
【００６２】
プラントのイベント発生時の画像表示機能及び映像の拡大表示機能の作用
これら機能の作用は、先の構成の項目で説明したので省略する。
【００６３】
次に、本実施形態の各機能の効果について説明する。
【００６４】
映像パターン表示機能の効果
本実施形態の映像パターン表示機能の効果は、大型スクリーン装置１０１に映像を表示し、かつ複数の映像ソースを同時にスクリーン上に表示させたい時にワンアクションにて大型スクリーン装置１０１の表示が可能となることである。
【００６５】
大型スクリーン装置１０１も最近では複数の映像ソースを組み合わせて表示することが可能となっており、複数の映像ソースを自由に選択することにより、様々なパターンで大型スクリーン装置１０１に表示することが可能である。反面、表示毎に映像ソースを選択する必要があり、特にプラント１０５の監視制御を行う大型スクリーン装置１０１については、操作が煩雑になり、大型スクリーン装置１０１の複数の映像ソースを表示するメリットを最大限に生かす事が困難である。
【００６６】
よって、本映像パターン表示機能を利用することにより、オペレータ１０３によるワンアクションで大型スクリーン装置１０１に表示が可能となり、プラント１０５の円滑な運用が図れる。
【００６７】
自動表示機能の効果
大型スクリーン装置１０１のメリットとして、複数のオペレータ１０３が情報の大型スクリーン装置１０１の表示情報により、プラント１０５の状態等の情報を共有することが可能な点にある。よって、複数人が集まってプラント１０５の監視内容を協議するためには必須のものである。
【００６８】
本実施形態は、大型スクリーン装置１０１への映像ソースの表示を自動化し、プラント１０５の異常により自動的に大型スクリーン装置１０１に故障内容を表示し、複数のオペレータ１０３が情報を共有することにより、プラント１０５の円滑な運用が図れる。
【００６９】
再生表示機能の効果
以上のような本実施形態の再生表示機能によって、大型スクリーン装置１０１にプラント１０５の過去の状態を表示することにより、プラント１０５の例えば前日との差異を確認することが可能となる。例えば上水道プラントは、水の需要により生産できる水の量を予測し、運用を行っている。よって、昨日との差、先週の同一曜日との差がプラント１０５の管理指標となる場合が多い。よって、過去の映像データがプラントの運用指標となるケースが多く、本機能によりプラント１０５の円滑な運用を図ることが可能となる。
【００７０】
映像データ差分検出機能の効果
以上のような本実施形態の映像データ差分検出機能は、上記再生表示機能をさらに発展させたものであり、差分をスクリーン制御装置１０１側にて検出し、オペレータ１０３へ通知することにより、さらにプラント１０５の円滑な運用を図ることが可能となる。
【００７１】
イベント発生時画像表示機能の効果
以上のような本実施形態のイベント発生時画像表示機能は、プラントの異常解析を実施する場合に有効な機能であり、プラント１０５のイベントと映像データを検出し、リンクして表示することにより、プラント１０５の異常解析が有効に利用できるようになる。
【００７２】
映像の拡大表示機能の効果
本機能は、映像ソースをそのまま表示した場合に、見えにくくなる部分を指定により、または自動的に拡大表示させることが可能とした機能である。これにより映像ソースの質により見えにくいものについてオペレータが納得できるサイズにて表示でき、プラント１０５の円滑な運用が図れる。
【００７３】
本実施形態の各機能は次のように変形して実施することができる。
【００７４】
映像パターン表示機能の変形例
パターンを登録し、オペレータが自由にパターンの変更も可能であるが、そのパターンもオペレータが選択することが基本となる。パターンに登録された映像を、スケジュール機能を付加して、例えば月曜日の１０時になったらこのパターンを表示するといったスケジュール機能を設ければ、さらに使いやすい機能となる。
【００７５】
自動表示機能の変形例
プラントの変化（異常）を検知してスクリーンに決められた映像情報を自動表示する機能であるが、自動表示の禁止、許可については本文中に記載した。自動表示機能は、現在の表示中に割り込んでくるために、自動表示の目的を果たしたら、元の現像に戻す機能が必要と考えられる。
【００７６】
よって、変形例として、自動表示後の元の映像を再表示する機能を付加し、さらに使いやすい機能とすることが可能となる。
【００７７】
【発明の効果】
以上述べたように本発明によれば、大型スクリーン装置への映像ソースの表示を自動化し、プラントの異常により自動的に大型スクリーン装置に故障内容を表示し、複数のオペレータが情報を共有することにより、プラントの円滑な運用を図ることが可能なスクリーン制御装置を提供できるものである。
【図面の簡単な説明】
【図１】本発明の一実施形態に係るスクリーン制御装置の構成図。
【図２】同実施形態の機能ブロック図。
【図３】同実施形態における複数のスクリーンを繋ぎ合わせ且つ複数の映像ソースを表示させる例を示す図。
【図４】同実施形態における入力装置の操作面の例を示す図。
【図５】同実施形態における大型スクリーン装置へ映像ソースを表示した例を示す図。
【図６】同実施形態における再生表示機能にて当日分と昨日分を表示させた例及び差分を表示した例を示す図。
【図７】同実施形態における差分検出機能のブロック図。
【図８】同実施形態における映像の拡大表示例を示す図。
【図９】同実施形態における映像の拡大機能ブロック図。
【図１０】同実施形態における映像パターン表示機能の処理フローチャート。
【図１１】同実施形態における自動表示機能の処理フローチャート。
【図１２】同実施形態における再生表示機能の処理フローチャート。
【符号の説明】
１０１…大型スクリーン装置、１０２…映像ソース、１０３…オペレータ、１０４…入力装置、１０５…プラント、１０６…監視制御装置、１１０…スクリーン制御装置、１１１…映像データ入力部、１１２…映像データ一時バッファ、１１３…映像データ保存部、１１４…映像データ時系列ファイル、１１５…プラント状態入力部、１１６…プラント状態一時バッファ、１１７…プラント状態保存部、１１８…プラント状態時系列ファイル、１１９…映像表示パターンファイル、１２０…映像データ制御部、１２１…プラント異常時パターンファイル、１２２…オペレータ操作入力部、１２３…スクリーン制御部、４０４…ＣＰＵ、４０５…補助記憶装置。
【図１】
2004021300.tif 000003
【図２】
2004021300.tif 000004
【図３】
2004021300.tif 000005
【図４】
2004021300.tif 000006
【図５】
2004021300.tif 000007
【図６】
2004021300.tif 000008
【図７】
2004021300.tif 000009
【図８】
2004021300.tif 000010
【図９】
2004021300.tif 000011
【図１０】
2004021300.tif 000012
【図１１】
2004021300.tif 000013
【図１２】
2004021300.tif 000014